(57)【要約】【課題】臨場感や雰囲気を損なうことがなく、また、印刷物のためにディスプレイの実効厚みを大きくしないハイブリッド表示装置を提供する。【解決手段】主表示画面を備えるフラットパネルディスプレイ１からなる主表示部２と、固定式印刷ヘッド及び給排紙機構を有する印刷部３と、該印刷部３で印刷された印刷用紙からなる印刷物を外部に排出する排紙口４と、前記フラットパネルディスプレイ１を保持する架台７と、を具備し、前記印刷部３が前記主表示部２の背面に設けられ、且つ前記排紙口４がフラットパネルディスプレイ１の側面又は背面に設けられ、前記排紙口４が視聴者の視野から隠れていることを特徴とする。【選択図】図１
2006056165.tif 000002
【特許請求の範囲】
【請求項１】
主表示画面を備えるフラットパネルディスプレイからなる主表示部と、固定式印刷ヘッド及び給排紙機構を有する印刷部と、該印刷部で印刷された印刷用紙からなる印刷物を外部に排出する排紙口と、前記フラットパネルディスプレイを保持する架台と、を具備し、前記印刷部が前記主表示部の背面に設けられ、且つ前記排紙口がフラットパネルディスプレイの側面又は背面に設けられ、前記排紙口が視聴者の視野から隠れていることを特徴とするハイブリッド表示装置。
【請求項２】
前記排紙口から排出された印刷物を収容する印刷物保持部を設けてなることを特徴とする請求項１記載のハイブリッド表示装置。
【請求項３】
前記印刷物保持部が、架台に設けられてなることを特徴とする請求項１又は２記載のハイブリッド表示装置。
【請求項４】
主表示画面を備えるフラットパネルディスプレイからなる主表示部と、固定式印刷ヘッド及び給排紙機構を有する印刷部と、該印刷部で印刷された印刷用紙からなる印刷物を保持する印刷物保持部と、前記フラットパネルディスプレイを保持する架台と、を具備し、前記印刷部が前記架台に設けられてなることを特徴とするハイブリッド表示装置。
【請求項５】
主表示画面を備えるフラットパネルディスプレイからなる主表示部と、固定式印刷ヘッド及び給排紙機構を有する印刷部と、該印刷部で印刷された印刷用紙からなる印刷物を保持する印刷物保持室と、を具備し、前記主表示部が壁面の表側に、前記印刷部が前記壁面の裏側に配置するように、前記フラットパネルディスプレイを壁面に設けてなることを特徴とするハイブリッド表示装置。
【請求項６】
前記壁面がユニット家具の背面壁であることを特徴とする請求項５記載のハイブリッド表示装置。
【請求項７】
前記印刷物保持室が、前記ユニット家具の架台部に設けられてなることを特徴とする請求項６記載のハイブリッド表示装置。
【請求項８】
前記印刷部を外部から密閉してなることを特徴とする請求項１〜７のいずれかに記載のハイブリッド表示装置。
【請求項９】
前記印刷ヘッドと印刷用紙とが実質的に非接触で印刷が行われることを特徴とする請求項１〜８のいずれかに記載のハイブリッド表示装置。
【請求項１０】
前記印刷部が連続紙又はセパレート紙を装填するための脱着可能な保持具を具備してなることを特徴とする請求項１〜９のいずれかに記載のハイブリッド表示装置。
【請求項１１】
前記表示画面が、対角１４インチ以上の大きさであることを特徴とする請求項１〜１０のいずれかに記載のハイブリッド表示装置。
【請求項１２】
文字情報、画像情報及び音声情報のうち少なくとも２つの情報を同時に受信する機能を備えてなることを特徴とする請求項１〜１１のいずれかに記載のハイブリッド表示装置。
【請求項１３】
記憶装置を具備し、該記憶装置に前記受信情報を蓄積するとともに、該受信情報の少なくとも一部を特定の時刻に自動的に印刷する機能を具備することを特徴とする請求項１〜１２のいずれかに記載のハイブリッド表示装置。
【請求項１４】
前記主表示部又は前記副表示部にカメラを設け、該カメラの情報を電話回線又はインターネット回線で送信することができる機能を具備することを特徴とする請求項１〜１３のいずれかに記載のハイブリッド表示装置。
【発明の詳細な説明】
【技術分野】
【０００１】
本発明は、ハイブリッド表示装置に関し、特に、印刷装置を具備し、静止画及び動画等を表示しながら、特定の情報、例えば表示画像又は直前に表示した記録画像や配信ニュースをフルカラー印刷するのに適したハイブリッド表示装置に関する。
【背景技術】
【０００２】
プラズマディスプレイパネル、液晶パネル、ＥＬパネル、ＥＣＤパネル、ＦＥＤパネル又はＬＥＤパネル等の大型のプラットパネルディスプレイは薄型であるため、単にテレビを見るにとどまらず、様々な応用が提案されている。
【０００３】
例えば、最近では、大きな設置面積の必要なＣＲＴを用いた表示装置に代わって、フラットパネルディスプレイを壁に掛け、臨場感の優れた高音質の音響装置を用いて、映画やドラマなどを鑑賞するシステムが提案されている（例えば、特許文献１参照）。
【０００４】
また、壁掛けではなく、ＡＶ機器とプラズマディスプレイパネルを、ローボード型家具で構成されるベースユニットの上にラック型家具で構成されるトップユニットが設けられたユニット家具に配設し、ビデオテープ、ＤＶＤ、ＬＤ又はＣＤといった記録媒体を扱うことのできるプレーヤーと、５．１ｃｈスピーカシステムとを組み合わせてホームシアターを形成することが提案されている（例えば、特許文献２参照）。
【０００５】
そして、例えば、映画やテレビ放送を見ながら、表示された一場面を取り出して静止画像として印刷することが要求されている。また、映画やテレビ放送を見ながら、文字放送の内容を印刷したり、メールが到着した場合にはその内容を印刷することが要求されている。さらには、デジタル放送において、本放送部分とデータ放送部分に分けてテレビ番組とデータとを同時に配信するデジタルテレビ放送方法が開示され、本放送で流す映像のうち代表的なものを静止画像としてデータ放送から受信し、高画質の静止画像を印刷することが提案されている（例えば、特許文献３参照）。
【０００６】
このような要求に対して、ＰＤＰや液晶ディスプレイからなる表示部と、印字部が１つの筐体に収められたプリンタ内蔵表示装置が提案され、料理番組を見ながら、レシピを要求すると、その料理のレシピがプリントされて出てくることが開示されている（例えば、特許文献４参照）。
【特許文献１】特開２００２−２６８５７８号公報
【特許文献２】特開２００４−８１５３８号公報
【特許文献３】特開２００３−２１９３８０号公報
【特許文献４】特開２００２−１７１４６２号公報
【発明の開示】
【発明が解決しようとする課題】
【０００７】
しかしながら、特許文献４に記載のプリンタ内蔵表示装置では、印字部が表示装置の底部に位置し、排紙部に直結しており、印刷時の騒音が排紙部を通して表示装置で鑑賞している映画やドラマの音声を聞き取りにくくし、また、映画鑑賞中に表示装置の前面から印刷物が出てくると、臨場感や雰囲気を損なうという問題があった。
【０００８】
また、前面から排紙されるため、印刷物を受けるための空間を確保する必要があり、フラットディスプレイはその厚みが薄いことが特徴であるが、印刷物受用空間がディスプレイとしての大きさに組み込まれてしまい、実質的なディスプレイの奥行きが大幅に厚くなってしまうという問題があった。
【０００９】
従って、本発明の目的は、臨場感や雰囲気を損なうことがなく、また、印刷物のためにディスプレイの実効厚みを大きくしないハイブリッド表示装置を提供することにある。
【課題を解決するための手段】
【００１０】
本発明の第一のハイブリッド表示装置は、プリンタに固定式印刷ヘッドを具備し、印刷部を表示画面の背面に配置し、表示装置の正面で視聴している人からプリンタの排紙口を見えない位置に配置することによってテレビ、映画やドラマ等の臨場感や雰囲気を損なうことがなく、また、印刷物のためにディスプレイの実効厚みを大きくしないハイブリッド表示装置を実現することができるとの新規な知見に基づくものである。
【００１１】
即ち、本発明の第一のハイブリッド表示装置は、主表示画面を備えるフラットパネルディスプレイ（ＦＰＤ）からなる主表示部と、固定式印刷ヘッド及び給排紙機構を有する印刷部と、該印刷部で印刷された印刷物を外部に排出する排紙口と、を具備し、前記印刷部が前記主表示部の背面に設けられ、且つ前記排紙口が側面又は背面に設けられ、前記主表示部の中心位置において前記排紙口が視野にないことを特徴とする。
【００１２】
特に、前記排紙口から排出された印刷物を収容する印刷物保持部を設けてなることが好ましい。また、前記印刷物保持部が、架台に設けられてなることが好ましい。これにより、印刷物を保持し、所望の時間に取り出すことができ、映画やドラマ等を視聴中に取りに行く必要が無くなり、映画やドラマの鑑賞を楽しむ人の邪魔をすることを避けることが容易になる。
【００１３】
本発明の第二のハイブリッド表示装置は、主表示画面を備えるフラットパネルディスプレイからなる主表示部と、固定式印刷ヘッド及び給排紙機構を有する印刷部と、該印刷部で印刷された印刷用紙からなる印刷物を保持する印刷物保持部と、前記フラットパネルディスプレイを保持する架台と、を具備し、前記印刷部及び／又は印刷物保持部が前記架台に設けられてなることを特徴とする。
【００１４】
本発明の第三のハイブリッド表示装置は、主表示画面を備えるフラットパネルディスプレイからなる主表示部と、固定式印刷ヘッド及び給排紙機構を有する印刷部と、該印刷部で印刷された印刷用紙からなる印刷物を保持する印刷物保持室と、を具備し、前記主表示部が壁面の表側に、前記印刷部が前記壁面の裏側に配置するように、前記フラットパネルディスプレイを壁面に設けてなることを特徴とする。
【００１５】
特に、前記第三のハイブリッド表示装置においては、前記壁面がユニット家具の背面壁を利用したものであることが好ましい。取付けが容易で、ユニット家具の移動によって表示装置の位置を容易に変更できる。また、前記印刷物保持室が、前記ユニット家具の架台部に設けられてなることが好ましい。これにより、印刷物の保管が容易となり、またユニット家具の引出や扉内部に印刷物が収納でき、家具をより有効に利用できる。
【００１６】
本発明においては、前記印刷物保持室が、前記ユニット家具の架台部に設けられてなることが好ましい。これにより、臨場感や雰囲気を損なわないで、印刷部２ｂで発する騒音の放出を容易に抑制でき、架台部の空間を効果的に利用でき、取出しの自由度が増える。
【００１７】
前記印刷部を外部から密閉してなることが好ましい。これにより、印刷部から外部に放出される騒音を効果的に抑制することができる。
【００１８】
前記印刷ヘッドと印刷用紙とが実質的に非接触で印刷が行われることが好ましい。これにより、さらに印刷時に発生する騒音を低減することができる。
【００１９】
前記印刷部が連続紙又はセパレート紙を装填するための脱着可能な保持具を具備してなることが好ましい。この構成により、主画面の表示内容によって用紙を選択でき、情報内容に最適な用紙を選択することができる。
【００２０】
前記表示画面が、対角１４インチ以上の大きさであることが好ましい。表示画面の背面に印刷部を容易に配置することができる。
【００２１】
文字情報、画像情報及び音声情報のうち少なくとも２つの情報を受信する機能を備えてなることが好ましい。これにより、ハイブリッド表示装置を多機能化することができ、各種情報を表示するとともに、必要な情報を随時印刷することが容易になる。
【００２２】
記憶装置を具備し、該記憶装置に前記受信情報を蓄積するとともに、該受信情報の少なくとも一部を特定の時刻に自動的に印刷する機能を具備することが好ましい。映画やドラマに熱中していても、他の用事を行っていても必要な情報を忘れずに入手し、印刷することができる。
【００２３】
前記主表示部又は前記副表示部にカメラを設け、該カメラの情報を電話回線又はインターネット回線で送信することができる機能を具備することが好ましい。これにより、会話をしながら文字・映像情報をやり取りでき、所謂テレビ電話として用いるとともに、通信によって得られた文字や映像を印刷することで、さらに高度な情報交換を実現することができる。
【発明を実施するための最良の形態】
【００２４】
本発明を、図を用いて説明する。図１は、本発明のハイブリッド表示装置を示すもので、図１（ａ）は正面斜視図、図１（ｂ）は背面斜視図である。
【００２５】
本発明のハイブリッド表示装置は、フラットプレイディスプレイ１を架台７に載置したものであり、フラットパネルディスプレイ１の正面には、情報の表示画面２ａを備える主表示部２が設けられ、背面には、特定の情報を印刷する印刷部３が設けられている。
【００２６】
主表示部２の表示画面２ａは、Ｂ６サイズの印刷用紙であれば、対角１２インチ以上が必要になるが、特にＡ５の印刷用紙を用いる場合には対角１４インチ以上、更にＢ５の印刷用紙を用いる場合には対角１７インチ以上のものを用いることが好ましい。そして、Ａ４サイズの印刷用紙を用いる場合、対角が２０インチ以上、特に２５インチ以上、更には３０インチ以上、より好適には３５インチ以上の大きさを有するものが好ましい。このように、表示画面が大きくなると、背面に設置する印刷部３が視聴者から隠れ、また、印刷部３で発生する騒音を視聴者の耳に到達しにくくすることが容易になる。
【００２７】
この表示画面２ａには、各種の文字情報や映像情報を表示することができ、また、アナログ情報でもデジタル情報でも良い。具体的には、地上波放送や衛星放送等のテレビ放送、文字放送、ビデオ映像、カメラ映像、各種の動画や静止画、インターネット情報、来客情報等を表示することができる。
【００２８】
印刷部３は、給紙部３ａ、転写部３ｂ、排紙部３ｃとで構成され、フラットプレイディスプレイ１の背面に設けることが重要である。給紙部３ａは、印刷に用いる印刷用紙を複数枚保持するもので、所望によりハイブリッド表示装置１から脱着可能なカートリッジ方式を採用することができ、例えば給紙カセット方式の印刷用紙保持具５を採用し、印刷用紙保持具５の脱着、印刷用紙保持具５への印刷用紙の補充、印刷用紙保持具５の装着に関する一連の操作を簡単に、且つ簡便に行うことができる。
【００２９】
このように、フラットプレイディスプレイ１の背面に印刷部３が設けられているが、印刷部３を付加したことによるフラットプレイディスプレイ１の厚みの増加は、印刷用紙をストックしている給紙部の厚み程度であり、実質的に大幅な増加はない。
【００３０】
また、給紙部３ａに保持された印刷用紙は、紙送り機構によって転写部３ｂに送り込まれ、転写部３ｂで所定の文字情報や画像情報を印刷する。転写部３ｂには、印刷を行うための印刷ヘッドが備えられ、白黒印刷とカラー印刷を選択して実行することができる。転写部３ｂで印刷された印刷用紙からなる印刷物は、紙送り機構によって排紙部３ｃに移動する。
【００３１】
印刷部３において、転写部３ｂで印刷した印刷物の排紙口４は、側面又は背面に設けることが好ましい。図１の場合には、印刷物が排出される排紙口４がハイブリッド表示装置１の背面に設けられ、排紙方向Ｘが背面方向となっており、排紙方向Ｘに印刷時の騒音が排紙口４から放出される。これは、騒音の放出される方向が、表示画面２ａと略垂直な背面方向であり、表示画面２ａを視聴している人と反対の方向に騒音が放出されるため、視聴者の耳に入る騒音のレベルを低減することができ、映画やドラマ等の雰囲気を維持することができる。
【００３２】
この排紙口４は、表示画面２ａの中心位置と対向する特定位置Ａからフラットパネルディスプレイ１の表示画面２ａを眺めた時、視野に入らないことが重要である。この際に、フラットパネルディスプレイ１から目のある特定位置Ａまでの距離ｄは、一般に視聴者が画面を見る距離を考慮して２〜５ｍ程度に設定することができる。このように、フラットパネルディスプレイ１から正面方向に２〜５ｍ離れた位置から表示画面２ａを眺めた時に排紙口４が視野から外れているため、騒音は視聴者の耳に到達しにくくなる。よって、特許文献４のように印刷物が表示装置の手前に排出され、映画の臨場感を損なうことが避けられる。
【００３３】
特に、印刷時の騒音を３０ｄＢ以下、更には２５ｄＢ以下、より好適には２０ｄＢ以下にすることで、視聴者に印刷をほとんど意識させずに印刷を実効でき、テレビ、映画やドラマ等の鑑賞を邪魔せずに、所望の情報を印刷することが容易になる。なお、本発明ぬいおける騒音測定は、ＩＳＯ７７７９に準じたBsyustander-Positionによって行った。
【００３４】
印刷物が排出された後には印刷物ができたことを示すために、印刷物が視聴者の視野に入っても良いが、フラットパネルディスプレイ１に表示灯を設けても良いし、遠隔操作装置に印刷完了の表示を行って印刷物を視聴者の目から全く見えないようにしても良い。
【００３５】
遠隔操作装置には、副表示画面を備えるフラットディスプレイからなる副表示部をモけることが好ましい。手元の副表示画面で表示や印刷を制御でき、映画鑑賞等を妨げず、またその臨場感や雰囲気を維持したまま、印刷状態を知ることができる。また、鑑賞映像の一部を副表示画面に表示することで、主表示画面の映像を中断させること無く、所望の印刷を実行することができる。
【００３６】
また、転写部３ｂは、印刷用紙に印刷を行う印刷ヘッドを備え、特に、紙と印刷ヘッドとの接触によって発生する騒音を低減することが容易なため、前記印刷部における印刷ヘッドと印刷用紙とが実質的に非接触であることが好ましい。例えば、印刷ヘッドとしてインクジェットヘッドを採用することができる。インクジェットヘッドは、加熱方式でも圧電方式でも、それ以外の方式でも良い。
【００３７】
印刷部３で用いられる印刷用紙は、連続紙でもセパレート紙でも良いが、両者を装填するための脱着可能な保持具を具備し、所望により、印刷用紙を選べるため、情報内容に適した印刷用紙を選択することができる。例えば、ニュースやメールでは連続紙に印字し、印字範囲が入る領域で連続紙を切断することで、セパレート紙に印刷した場合に、最後が１行で終わるような印刷用紙の無駄を省くこともできる。
【００３８】
連続紙とセパレート紙の選択は、随時行うこともできるが、静止画の印刷はセパレート紙、文字は連続紙といったように印刷内容によって設定しておくことも可能である。なお、このような設定は、副表示部で行うことが好ましい。
【００３９】
また、印刷ヘッドには走査式と固定式がある。走査式は、走査時の印刷ヘッドの移動にともなって騒音が発生しやすいため、固定式であることが重要である。固定式印刷ヘッドにすることで、走査を行うための駆動機構を搭載する必要もなくなり、装置の小型化も容易になり、また、印刷ヘッドの配置の自由度が高まり、設計の自由度が広がる。
【００４０】
転写部３ｂにおける印刷速度は、Ａ４サイズ以下の用紙１枚に対して５秒以内、特に４秒以内、さらには３秒以内、より好適には２秒以内、最も好適には１秒以内でフルカラー印刷が可能な速度であることが好ましい。このような高速印刷により、鑑賞者が気に入った場面をすぐさま印刷でき、しかも複数枚でもストレスなく印刷でき、また、多くの場面をタイムリーに印刷することも可能である。
【００４１】
さらに、排紙部３ｃは、印刷の終了した印刷用紙からなる印刷物を排紙口４から排出するためのものであり、印刷部３で発生する騒音が、映画の鑑賞者の耳に入る騒音の音量を低減するため、側面、上面、下面又は背面の方向の少なくとも１つにすることができる。
【００４２】
その一例を図２に示した。図２は、本発明の他のハイブリッド表示装置１を示す背面斜視図である。なお、正面斜視図は図１と同一なので表示を省略した。また、図１との共通部分は同一の番号を付与し、共通する説明を省略した。
【００４３】
図２によれば、印刷部３は、印刷用紙保治具５を具備する給紙部３ａと、転写部３ｂと、印刷物保持具６を具備する排紙部３ｃで構成される。印刷物保持具６は、印刷用紙保治具５と同様に、脱着及び交換可能なカートリッジ方式とすることができる。なお、排紙口は装置に内蔵され、側面に設けられている。また、印刷物保持具６には、排紙口４が設けられ、排紙方向が側面方向となっている。このように、側面に設けられ、特定位置から視野にない、隠れた位置に配置しているので、ＦＰＤの視聴者の耳に届く印刷時の騒音を低減することができる。この排紙口４には、蓋を設け、印刷用紙の取出時のみに開閉するのが騒音低減のためにより一層好ましい。
【００４４】
印刷部３は、転写部３ｂで印刷した印刷物の排紙方向Ｘが、左側面方向であり、表示画面２ａの中心位置をフラットパネルディスプレイから遠ざかる位置からフラットパネルディスプレイを眺めた時に、排紙口４が視野に入らないため、視聴者の耳に入る騒音のレベルを低減することができ、映画やドラマ等の雰囲気を維持することができる。
【００４５】
図２では、排紙方向Ｘが左側面方向であるが、同様にして右側方向にすることもできる。さらには、上側面、下側面からも印刷物を排出することが可能である。
【００４６】
図３は、本発明のさらに他のハイブリッド表示装置を示すもので、図３（ａ）は正面斜視図、図３（ｂ）は背面斜視図である。図１との共通部分は同一の番号を付与し、共通する説明を省略した。
【００４７】
図３によれば、排紙口（不図示）は装置に内蔵されており、印刷物は架台７の内部に収納される。即ち、架台が排紙部３ｃの一部を構成しており、転写部３ｂで印刷された印刷物が、装置に内蔵された排紙口（不図示）を経由して、印刷物保持部６ｂを兼ねる架台７に移動する。
【００４８】
このように、排紙方向Ｘを下方向とし、排紙口をフラットパネルディスプレイ２の背面下側面に設け、架台脚部７ａの内部を印刷物が通過し、架台脚部７ａに設けられた印刷物保持部６ｂの扉状の取出口８を開けて印刷物を取るようにすることができる。なお、印刷物保持部６ｂは、架台底部７ｂに設けることもできる。また、架台脚部７ａは、正面側は見えない構造を採用し、背面側は開放状態にすることも、気流調整用等の空気孔を設けることも可能である。
【００４９】
図３においては、外部に放出される騒音を抑制するために、印刷部を密閉しており、騒音の低減を容易に行うことができる。密閉にすることによって、転写部３ｂへのゴミの進入も抑制することができる。騒音を低減するため、密閉のような消音機構を具備することが好ましい。さらには、印刷部から外部に放出される騒音をさらに効果的に抑制するために、印刷部３に消音装置を設けることが好ましい。例えば、印刷部３の周囲を、音波の損失係数の大きな材料、例えば、ゴムや、低密度のポリエチレン、発泡ウレタン、発泡スチロール等の部材で囲む、或いは、発生する騒音を打ち消す音の発生装置を取り付けることができる。
【００５０】
図４は、本発明のさらに他のハイブリッド表示装置１を示すもので、図４（ａ）は正面斜視図、図４（ｂ）は架台底部の一部の斜視図である。図１との共通部分は同一の番号を付与し、共通する説明を省略した。
【００５１】
図４によれば、印刷部３は、フラットパネルディスプレイ１の背面ではなく、架台の底面を形成する架台底部７ｂに設けることができる。架台底部７ｂに、印刷用紙保持部３ａ、転写部３ｂ及び印刷物保持部３ｃを具備し、印刷用紙保持部３ａに保持された印刷用紙は、転写部３ｂに送り出され、転写部３ｂで印刷され、印刷の終了した印刷物は、装置に内蔵された排紙口（非図示）を経由して、印刷物保持部３ｃに移され、取出口８から自由に取り出すことができる。なお、取出口８を開口部としてもよいが、引出方式や扉方式にして騒音の低減を図ることが好ましい。
【００５２】
また、架台底部７ｂの幅は印刷用紙の幅よりもやや大きい程度で済むため、フラットパネルディスプレイ１の重量を支え、倒れないような幅を設定すると、Ａ４やＡ３を収納するのに十分な大きさを確保できる。従って、フラットパネルディスプレイ１の幅を大幅に大きくすることなく、プリンタを組み込み、しかも騒音の発生を効果的に防止できる。
【００５３】
印刷部３は、実質的に密封してなることが望ましい。密封することにより、騒音量の低減が期待でき、また、印刷部３が外部から見えなくなり、デザイン上も好ましい。なお、実質的に密封するとは、引出しや扉を設けた場合の微小な隙間や通気用の微小な孔を除き、騒音が漏れるような開口部がないことを示す。
【００５４】
次に、壁掛け方式の表示装置について説明する。壁掛け方式は、特許文献１に示したように、取り付け部材等を使用して、表示装置を壁面に直接取り付け、また、特許文献２に示したように、表示装置をユニット家具のパネルに取り付けることができる。このように、壁面に本発明のハイブリッド表示装置を取り付ける場合、
以上は、ハイブリッド表示装置をスタンド式の架台を用いた場合ついて説明したが、次に、ハイブリッド表示装置を壁やユニット家具に掛ける場合、所謂壁掛けテレビとして用いる場合について説明する。
【００５５】
本発明のハイブリッド表示装置は、フラットディスプレイ１０１をユニット家具に掛けたものでもよく、その一例の正面斜視図を図５に、その背面斜視図を図６に示した。
【００５６】
フラットパネルディスプレイは、専用の治具等により、表側からはめ込むようにして表示画面が壁面の表側に、印刷部を壁面の裏側に配置するように、壁面に直接設けて、所謂壁掛けテレビとしても良いが、図５及び６のように、フラットパネルディスプレイ１０１を、ユニット家具１１１の背面壁１１２にはめ込むように取り付け、フラットパネルディスプレイ１０１の主表示部１０２の表示画面１０２ａが背面壁１１２の表側に突出するように、あるいは壁と同じ平面上に形成されるように取り付けられている。
【００５７】
ハイブリッド表示装置の背面には、特定の情報を印刷する印刷部１０３が設けられている。このように、ユニット家具１１１の背面壁１１２の面積が大きいため、その背面に設置する印刷部１０３が視聴者から隠れるため、印刷部１０３で発生する騒音を視聴者の耳に到達しにくくすることが容易になる。即ち、背面壁１１２の背面１１２ｂ、即ち背面壁１１２の表示画面１０２ａと反対側に、印刷部１０３を設けることによって、印刷部１０３で発生する騒音をユニット家具１１１の背面側に放出するため、ハイブリッド表示装置の鑑賞者に対して騒音の影響を顕著に低減できる。
【００５８】
なお、壁の反対側に印刷部１０３を露出させる場合、騒音の放出口を設けても良く、また、映画やドラマ等の鑑賞中に、鑑賞者の邪魔をせずにユニット家具の背面でインクの補充や印刷用紙の補充を簡単に行うという効果も期待できる。なお、イブリッド表示装置を壁面に埋め込む場合も同様に、隣室からインクの補充や印刷用紙の補充を行うことができる。
【００５９】
また、本発明によれば、給紙部１０３ａから転写部１０３ｂに送られた印刷用紙が印刷され、印刷物として排紙部１０３ｃに送り出されるが、印刷物が排紙口１０４を介してユニット家具の一部に設けられた印刷物保管室１０６に保持することもできる。印刷物保管室１０６は図５のように扉１０８を設けて正面から取り出し可能にしてもよいし、引出方式にして、引出を引き出して印刷物を取るようにしてもよい。
【００６０】
本発明によれば、ユニット家具１１１には引出しや棚等が付属しても良く、印刷物は、印刷直後に背面壁１１２の背面１１２ｂ側で、一度下方向に排出され、その後ユニット家具の一部に設けられた印刷物保管室１０６に収納されるが、背面壁１１２に取り付けるフラットパネルディスプレイ１０１の実効厚みは小さくできる。
【００６１】
なお、ユニット家具にフラットパネルディスプレイ１０１を取り付ける場合、フラットパネルディスプレイ１０１を保持する架台部１０７に印刷部１０３を設けても良い（不図示）。この場合、図４と同様に、印刷部が架台部１０７の中に内蔵されるものである。
【００６２】
本発明におけるフラットパネルディスプレイとしては、液晶表示装置、プラズマディスプレイパネル装置、ＥＬ表示装置、フィールドエミッションディスプレイ装置、エレクトロクロミックディスプレイ等を採用することができ、薄型で大型表示画面を実現できる。特に、情報の表示画面の大きさが、対角１４インチ以上であればＡ５サイズの印刷用紙に印刷が可能となり、フラットパネルディスプレイの背面に印刷部を容易に隠すように設けることができ、印刷部から発する騒音をフラットパネルディスプレイ自体で遮蔽することができる。また、同様に、Ｂ５の印刷用紙を用いる場合には対角１７インチ以上、さらに、Ａ４サイズの印刷用紙を用いる場合には対角が２０インチ以上、特に２５インチ以上、更には３０インチ以上、より好適には３５インチ以上であることが、視聴者に対する騒音抑制の点で好ましい。
【００６３】
本発明によれば、ＦＰＤの表示画面には、テレビ放送、衛星放送、文字放送、有線（ケーブル）放送、インターネット放送、ビデオ映像、デジタル映像、音楽映像等の文字情報、画像情報及び音声情報のうち少なくとも２つの情報を受信する機能を備えてなることが好ましい。これにより、ハイブリッド表示装置を多機能化することができ、各種情報を表示するとともに、必要な情報をＦＰＤ１台に集約し、しかも所望の情報を随時印刷することが容易になる。
【００６４】
また、本発明のハイブリッド表示装置が記憶装置を具備し、入手した受信情報を記憶装置に蓄積するとともに、受信情報の少なくとも一部を特定の時刻に自動的に印刷する機能を具備することが好ましい。記憶した情報を随時取り出すことができ、しかも、表示画面で映画を鑑賞しながら、同時に記憶した画像を印刷することができ、映画やドラマに熱中していても、あるいは、他の用事を行っていても必要な情報を忘れずに入手し、例えば朝の特定の時間に必要情報を印刷しておき、出勤時にその印刷物を持って出かけることができる。
【００６５】
前記主表示部又は前記副表示部にカメラを設け、該カメラの情報を電話回線又はインターネット回線で送信することができる機能を具備することが好ましい。これにより、会話をしながら文字・映像情報をやり取りでき、所謂テレビ電話として用いるとともに、通信によって得られた文字や映像を印刷することで、さらに高度な情報交換を実現することができる。
【００６６】
また、ハイブリッド表示装置が、各種の操作を行うために、他のフラットパネルディスプレイを具備する遠隔操作装置を具備することが好ましい。遠隔操作装置には、走査情報や記憶した画像情報等を表示するためのフラットパネルディスプレイが備えられており、座ったままで各種の処理を簡単に行うことができる。
【００６７】
以上のように、本発明のハイブリッド表示装置は、発生する騒音を抑制し、多機能表示装置として情報を集約し、必要情報を映画やドラマ等の鑑賞中に簡単に、且つ静かに印刷することができる。
【図面の簡単な説明】
【００６８】
【図１】本発明のハイブリッド表示装置の構造を示すもので、（ａ）は正面斜視図、（ｂ）は背面斜視図である。
【図２】本発明の他のハイブリッド表示装置の構造を示すもので、（ａ）は正面斜視図、（ｂ）は背面斜視図である。
【図３】本発明の更に他のハイブリッド表示装置の構造を示すもので、（ａ）は正面斜視図、（ｂ）は背面斜視図である。
【図４】本発明の更に他のハイブリッド表示装置の構造を示す斜視図である。
【図５】本発明の更に他のハイブリッド表示装置の構造を示す正面斜視図である。
【図６】本発明の更に他のハイブリッド表示装置の構造を示す背面斜視図である。
【符号の説明】
【００６９】
１、１０１・・・フラットプレイディスプレイ
２、１０２・・・主表示部
２ａ、１０２ａ・・・表示画面
３、１０３・・・印刷部
３ａ、１０３ａ・・・給紙部
３ｂ、１０３ｂ・・・転写部
３ｃ、１０３ｃ・・・排紙部
４、１０４・・・排紙口
５・・・印刷用紙保持具
６・・・印刷物保持具
６ｂ・・・印刷物保持部
７・・・架台
７ａ・・・スタンド
７ｂ・・・架台底部
１０６・・・印刷物保管室
１０７・・・架台部
１０７ａ・・・架台脚部
１０７ｂ・・・架台底部
１０８・・・取出口
１１１・・・ユニット家具
１１２・・・背面壁
Ａ・・・特定位置
ｄ・・・主表示画面から特定位置までの距離
Ｘ・・・排紙方向
【図１】
2006056165.tif 000003
【図２】
2006056165.tif 000004
【図３】
2006056165.tif 000005
【図４】
2006056165.tif 000006
【図５】
2006056165.tif 000007
【図６】
2006056165.tif 000008